(57)【特許請求の範囲】
【請求項１】
端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記ハウジング本体の中心軸位置を挟んで前記ねじ止め部とは反対側に位置する前記リアホルダの自由端側領域の部分と、該自由端側領域の部分に臨む前記収容ケースの内壁部とが係合することで、前記自由端側領域の部分の背面側への変位が規制されることを特徴とするコネクタ支持構造。
【請求項２】
前記リアホルダの前記自由端側領域の部分の背面側への変位を規制する手段として、前記内壁部に、前記リアホルダの背面に当接する張り出し部を設けたことを特徴とする請求項１に記載のコネクタ支持構造。
【請求項３】
前記リアホルダの前記自由端側領域の部分の背面側への変位を規制する手段として、前記内壁部に係止穴を設け且つ、前記リアホルダの自由端側領域には前記係止穴に係合する係合突起を設けたことを特徴とする請求項１に記載のコネクタ支持構造。
【請求項４】
前記リアホルダの前記自由端側領域の部分の背面側への変位を規制する手段として、前記内壁部に係合突起を設け且つ、前記リアホルダの自由端側領域の部分には前記係合突起が係合する係止穴を設けたことを特徴とする請求項１に記載のコネクタ支持構造。
【請求項５】
端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁と、前記リアホルダの背面側を覆うように配置された背面対向壁と、を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記背面対向壁に、前記ハウジング本体の中心軸位置を挟んで前記ねじ止め部とは反対側に位置する前記リアホルダの自由端側領域の部分に当接することで前記自由端側領域の部分の前記背面対向壁側への変位を規制するスペーサを突設したことを特徴とするコネクタ支持構造。
【請求項６】
端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前記リアホルダの背面側に配置された回路基板と、
前面対向壁と、前記回路基板の背面側を覆うように配置された背面対向壁と、を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定され、そして
前記リアホルダを貫通した前記接続端子が、前記回路基板上に搭載されている回路接点に導通接続するコネクタ支持構造であって、
前記回路基板の背面上の、前記リアホルダのねじ止め部とは逆側に位置する基板周縁領域の部分に、前記背面対向壁に当接することで、前記基板周縁領域の部分の前記背面対向壁側への変位を規制するスペーサを突設したことを特徴とするコネクタ支持構造。
【発明の詳細な説明】
【技術分野】
【０００１】
本発明は、端子収容孔を有したハウジング本体と該ハウジング本体の後部に係合して前記端子収容孔に収容されている接続端子を押さえるリアホルダとを備え、前記リアホルダを収容ケースにねじ止めすることで、ハウジング本体が前記収容ケースに固定される形式のコネクタ支持構造に関する。
【背景技術】
【０００２】
図８はハウジング本体の後部にリアホルダが係合装着される形式のコネクタの従来例であり、図９は図８に示したコネクタにおいて、ハウジング本体にリアホルダを係合させる組み立て途中の状態を示したものである。
【０００３】
図８及び図９に示したコネクタ１０１は、下記特許文献１に開示されたもので、端子収容孔１０３を有した樹脂製のハウジング本体１０５と、該ハウジング本体１０５の後部に係合して端子収容孔１０３に収容されている接続端子１０７を押さえるリアホルダ１０９と、を備えている。
【０００４】
ハウジング本体１０５は、先端側（図８では左端側）に相手のコネクタハウジングが嵌合接続された時に、相手コネクタの接続端子が挿入される相手端子受入孔１１１が、端子収容孔１０３に隣接して形成されている。
【０００５】
ハウジング本体１０５の端子収容孔１０３に収容される接続端子１０７は、電線１１１の先端部に圧着接続される板金製の圧着端子であり、電線１１３の長さ方向に沿って、被覆加締め部１０７ａと、導体加締め部１０７ｂと、端子収容孔１０３内に嵌合する略角筒状の端子本体部１０７ｃとが形成されている。また、端子本体部１０７ｃには、隣接する相手端子受入孔１１１内に突出して、該相手端子受入孔１１１に進入してきた相手側接続端子との弾性接触により相手側接続端子との電気的接続を果たす弾性接触片１０７ｄが設けられている。
【０００６】
リアホルダ１０９は、図９に示すように、ハウジング本体１０５の後部のホルダ係合用の開口１２１に係合突起部１３１を挿入すると、係合突起部１３１に装備された端子係止部１３３が図８に示すように端子本体部１０７ｃの後端に当接して、接続端子１０７を押さえ込む。また、係合突起部１３１において端子係止部１３３とは逆側に突出して装備された可撓腕１３５の端部の傾斜面１３５ａが、開口１２１の端縁に形成された係止片１２３の係止用斜面１２３ａに係合して、図８に示すように、ハウジング本体１０５の後部に合体した状態になる。
【０００７】
【特許文献１】特開平９−２１３３９９号公報
【発明の開示】
【発明が解決しようとする課題】
【０００８】
以上のように、ハウジング本体１０５の後部にリアホルダ１０９を備えるコネクタ１０１では、収容する接続端子の数量が多い多極型になると、相手コネクタとの接続時に、端子を押さえるリアホルダ１０９により大きな操作力が作用するようになる。そのため、リアホルダ１０９をより高い結合強度で、ハウジング本体１０５又は該ハウジング本体１０５を収容する収容ケースに固定する必要が生じる。
【０００９】
そして、リアホルダ１０９を高い結合強度で固定する方法の一つとして、ねじ止めが考えられる。
【００１０】
この場合に、ハウジング本体１０５上の各接続端子１０７に作用するリアホルダ１０９からの押さえ力にばらつきが生じないように、リアホルダ１０９をしっかりと固定するには、リアホルダ１０９上に、ハウジング本体１０５の中心軸に対して対称配置となるように複数のねじ止め部を装備すると良い。
【００１１】
しかし、ハウジング本体１０５やリアホルダ１０９は、それらが取り付けられる機器の構造等からの制約で、形状や寸法に各種の制限が課される場合が少なくなく、形状や寸法の制限のために、ハウジング本体１０５の中心軸に対して対称となるリアホルダ上の位置には、ねじ止め部を設ける余裕を確保できなくなる場合も少なくない。
【００１２】
そのような場合には、リアホルダ１０９上に装備するねじ止め部の位置は、妥協して、ハウジング本体の中心軸位置に対して片側に偏心した位置に設定することになる。
【００１３】
ところが、リアホルダ１０９上に装備するねじ止め部の位置がハウジング本体の中心軸位置に対して片側に偏心しているコネクタでは、ねじ止めによってリアホルダ１０９に働く押圧力が、ねじ止め部の周辺と、ねじ止め部から離れた領域とで大きくばらついてしまい、その結果、相手コネクタとの嵌合接続時等に、ねじ止め部から離れた側が収容ケース内に落ち込むように大きく変位したり、無理な変形が加わり、コネクタ相互間における結合不良や、コネクタの破損等の不都合を招くおそれがあった。
【００１４】
本発明の目的は、上記課題を解消することに係り、ハウジング本体内の接続端子を押さえるリアホルダの固定のために当該リアホルダに装備するねじ止め部が前記ハウジング本体の中心軸位置に対して片側に偏心して装備されている場合でも、相手コネクタとの嵌合接続時等に、リアホルダのねじ止め部から離れた側が収容ケース内に落ち込むように大きく変位したり変形することを防止することのできるコネクタ支持構造を提供することにある。
【課題を解決するための手段】
【００１５】
本発明の上記目的は、下記構成により達成される。
（１）  端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記ハウジング本体の中心軸位置を挟んで前記ねじ止め部とは反対側に位置する前記リアホルダの自由端側領域の部分と、該自由端側領域の部分に臨む前記収容ケースの内壁部とが係合することで、前記自由端側領域の部分の背面側への変位が規制されることを特徴とするコネクタ支持構造。
【００１６】
（２）  前記リアホルダの前記自由端側領域の部分の背面側への変位を規制する手段として、前記内壁部に、前記リアホルダの背面に当接する張り出し部を設けたことを特徴とする前記（１）に記載のコネクタ支持構造。
【００１７】
（３）  前記リアホルダの前記自由端側領域の部分の背面側への変位を規制する手段として、前記内壁部に係止穴を設け且つ、前記リアホルダの自由端側領域には前記係止穴に係合する係合突起を設けたことを特徴とする前記（１）に記載のコネクタ支持構造。
【００１８】
（４）  前記リアホルダの前記自由端側領域の部分の背面側への変位を規制する手段として、前記内壁部に係合突起を設け且つ、前記リアホルダの自由端側領域の部分には前記係合突起が係合する係止穴を設けたことを特徴とする前記（１）に記載のコネクタ支持構造。
【００１９】
（５）  端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁と、前記リアホルダの背面側を覆うように配置された背面対向壁と、を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記背面対向壁に、前記ハウジング本体の中心軸位置を挟んで前記ねじ止め部とは反対側に位置する前記リアホルダの自由端側領域の部分に当接することで前記自由端側領域の部分の前記背面対向壁側への変位を規制するスペーサを突設したことを特徴とするコネクタ支持構造。
【００２０】
（６）  端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前記リアホルダの背面側に配置された回路基板と、
前面対向壁と、前記回路基板の背面側を覆うように配置された背面対向壁と、を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定され、そして
前記リアホルダを貫通した前記接続端子が、前記回路基板上に搭載されている回路接点に導通接続するコネクタ支持構造であって、
前記回路基板の背面上の、前記リアホルダのねじ止め部とは逆側に位置する基板周縁領域の部分に、前記背面対向壁に当接することで、前記基板周縁領域の部分の前記背面対向壁側への変位を規制するスペーサを突設したことを特徴とするコネクタ支持構造。
【発明の効果】
【００２１】
前記（１）〜（４）に記載した本発明によるコネクタ支持構造では、リアホルダに装備されるねじ止め部がハウジング本体の中心軸位置に対して片側に偏心して装備されている場合には、ねじ止めによってリアホルダ上に作用する前面対向壁への押圧力自体は、当該リアホルダのねじ止め部側と、ハウジング本体の中心軸位置に対してねじ止め部とは反対側に位置したリアホルダの自由端側領域の部分とで差異が生じ、リアホルダの自由端側領域の部分では弱くなる。
【００２２】
しかし、リアホルダが収納ケースに組み付けられる際に、リアホルダの自由端側領域の部分は、当該自由端側領域を臨む収容ケースの内壁部と係合して、前記リアホルダの自由端側領域の部分の背面側への変位が規制される。
【００２３】
即ち、リアホルダの自由端側領域の部分と収容ケースの内壁部との係合による変位規制力が、リアホルダの自由端側領域の部分での押圧力の不足を補って、リアホルダのねじ止め部側と自由端側との双方において、収容ケースにしっかりと固定された状態を得ることができる。
【００２４】
従って、リアホルダに装備するねじ止め部が前記ハウジング本体の中心軸位置に対して片側に偏心して装備されている場合でも、ねじ止め部の周辺とねじ止め部から離れた領域の部分とのそれぞれをしっかりと固定することができ、相手コネクタとの嵌合接続時に、ねじ止めによる押圧力不足のためにねじ止め部から離れた側が収容ケース内に落ち込むように大きく変位することがなく、また、コネクタの一部に無理な変形が加わることも無くなり、リアホルダの一部の領域の落ち込みや変形に起因したコネクタ相互間における結合不良、コネクタの破損等の不都合の発生を防止することができる。
【００２５】
更に、換言すると、リアホルダの固定のために当該リアホルダに装備するねじ止め部が前記ハウジング本体の中心軸位置に対して片側に偏心して装備されている場合でも、リアホルダの自由端側領域の部分と収容ケースの内壁部との係合によりリアホルダの自由端側領域の部分の落ち込みを防止できるため、リアホルダ上のねじ止め部の配置自由度が向上し、リアホルダ上のねじ止め部の配置設計を容易にできる。
【００２６】
また、前記（５）に記載した本発明によるコネクタ支持構造では、リアホルダに装備されるねじ止め部がハウジング本体の中心軸位置に対して片側に偏心して装備されている場合には、ねじ止めによってリアホルダ上に作用する前面対向壁への押圧力自体は、当該リアホルダのねじ止め部側と、ハウジング本体の中心軸位置に対してねじ止め部とは反対側に位置したリアホルダの自由端側領域の部分とで差異が生じ、リアホルダの自由端側領域の部分では弱くなる。
【００２７】
しかし、リアホルダの背面側を覆う背面ケースが取り付けられると、リアホルダの自由端側領域の部分には、前記背面ケースの背面対向壁に突設されたスペーサが当接して、前記リアホルダの自由端側領域の部分の背面側への変位が規制される。
【００２８】
即ち、リアホルダの自由端側領域の部分と背面ケースに設けられたスペーサとの当接による変位規制力が、リアホルダの自由端側領域の部分での押圧力の不足を補って、リアホルダのねじ止め部側と自由端側との双方において、収容ケースにしっかりと固定された状態を得ることができる。
【００２９】
従って、リアホルダに装備するねじ止め部が前記ハウジング本体の中心軸位置に対して片側に偏心して装備されている場合でも、ねじ止め部の周辺とねじ止め部から離れた領域の部分とのそれぞれをしっかりと固定することができ、相手コネクタとの嵌合接続時に、ねじ止めによる押圧力不足のためにねじ止め部から離れた側が収容ケース内に落ち込むように大きく変位することがなく、また、コネクタの一部に無理な変形が加わることも無くなり、リアホルダの一部の領域の落ち込みや変形に起因したコネクタ相互間における結合不良、コネクタの破損等の不都合の発生を防止することができる。
【００３０】
更に、換言すると、リアホルダの固定のために当該リアホルダに装備するねじ止め部が前記ハウジング本体の中心軸位置に対して片側に偏心して装備されている場合でも、リアホルダの自由端側領域の部分に背面ケースのスペーサが当接することによってリアホルダの自由端側の落ち込みを防止できるため、リアホルダ上のねじ止め部の配置自由度が向上し、リアホルダ上のねじ止め部の配置設計を容易にできる。
【００３１】
また前記（６）に記載した本発明によるコネクタでは、リアホルダに装備されるねじ止め部がハウジング本体の中心軸位置に対して片側に偏心して装備されている場合には、ねじ止めによってリアホルダ上に作用する前面対向壁への押圧力自体は、当該リアホルダのねじ止め部側と、ハウジング本体の中心軸位置に対してねじ止め部とは反対側に位置したリアホルダの自由端側領域の部分とで差異が生じ、リアホルダの自由端側領域の部分では弱くなる。
【００３２】
しかし、リアホルダの背面の回路基板を覆う背面ケースが取り付けられると、前記回路基板に突設されたスペーサが前記背面ケースの背面対向壁に当接して、ねじ止め部とは反対側に位置するリアホルダの自由端側領域の部分の背面対向壁側への変位が、前記回路基板を介して位置規制される。
【００３３】
即ち、リアホルダの自由端側領域の部分は、回路基板を介して働く変位規制力が、リアホルダの自由端側での押圧力の不足を補って、リアホルダのねじ止め部側と自由端側領域の部分との双方において、収容ケースにしっかりと固定された状態を得ることができる。
【００３４】
従って、リアホルダに装備するねじ止め部が前記ハウジング本体の中心軸位置に対して片側に偏心して装備されている場合でも、ねじ止め部の周辺とねじ止め部から離れた領域の部分とのそれぞれをしっかりと固定することができ、相手コネクタとの嵌合接続時に、ねじ止めによる押圧力不足のためにねじ止め部から離れた側が収容ケース内に落ち込むように大きく変位することがなく、また、コネクタの一部に無理な変形が加わることも無くなり、リアホルダの一部の領域の落ち込みや変形に起因したコネクタ相互間における結合不良、コネクタの破損等の不都合の発生を防止することができる。
【００３５】
更に、換言すると、リアホルダの固定のために当該リアホルダに装備するねじ止め部が前記ハウジング本体の中心軸位置に対して片側に偏心して装備されている場合でも、リアホルダの自由端側領域の部分に背面ケースのスペーサが当接することによってリアホルダの自由端側の落ち込みを防止できるため、リアホルダ上のねじ止め部の配置自由度が向上し、リアホルダ上のねじ止め部の配置設計を容易にできる。
【発明を実施するための最良の形態】
【００３６】
以下、本発明に係るコネクタ支持構造の好適な実施の形態について、図面を参照して詳細に説明する。
【００３７】
（第１実施形態）
図１は本発明に係るコネクタ支持構造の第１実施形態のハウジング本体と該ハウジング本体の後部に係合したリアホルダの斜視図、図２は図１に示したハウジング本体及びリアホルダの組み立て状態の縦断面図、図３は図２に示したリアホルダの背面図、図４は図２に示したリアホルダ及びハウジング本体が収容ケースに取り付けられた状態のコネクタ縦断面図、図５は図４に示した収容ケースに装備された張り出し部の形状を示す斜視図である。
【００３８】
この第１実施形態のコネクタ支持構造のコネクタ１は、図１及び図２に示すように、多数の端子収容孔３を有した樹脂製のハウジング本体５と、該ハウジング本体５の後部に係合して端子収容孔３に収容されている各接続端子７を押さえる樹脂製のリアホルダ９と、を備えている。
【００３９】
接続端子７は、図２に示すように、端子収容孔３内に収容されて、相手側コネクタの接続端子が弾性嵌合する弾性嵌合部７ａと、リアホルダ９を貫通してリアホルダ９の背面側に突出する基板接続端子部７ｂとを板金で一体成形したものである。
【００４０】
図４及び図５に示すように、リアホルダ９の前面側には、該リアホルダ９の前面が当接する前面対向壁１４を有した収容ケース１６が配置される。
【００４１】
本実施形態のリアホルダ９は、図３に示すように、ハウジング本体５の中心軸位置Ｇに対して片側に距離Ｌだけ偏心して一対のねじ止め部９ａが装備されている。
【００４２】
リアホルダ９は、その前面を収容ケース１６の前面対向壁１４に突き合わせるようにして、収容ケース１６の裏面側のホルダ取付け部１７（図５参照）に位置決めして、ねじ止め部９ａを前面対向壁１４にねじ止めすることにより、収容ケース１６に固定される。
【００４３】
本実施形態の場合、一対のねじ止め部９ａは、図３に示すように、前面対向壁１４に当接する板部９ｂにねじ部材１８を挿通させる孔９ｃを貫通形成したもので、図４に示すように、該ねじ止め部９ａを挿通するねじ部材１８によって、収容ケース１６に固定される。
【００４４】
図５に示すように、収容ケース１６の裏面側のホルダ取付け部１７は、前記リアホルダ９の外形に対応した略菱形形状の前面対向壁１４を窪んだ形状に形成したもので、前面対向壁１４には、ハウジング本体５を挿通させるハウジング挿通穴１４ａと、ねじ部材１８が螺合する一対の雌ねじ部（図示略）が設けられている。
【００４５】
本実施形態の場合、ハウジング本体５の中心軸位置Ｇを挟んでねじ止め部９ａとは反対側に位置するリアホルダ９の自由端側領域Ｓ２（図３参照）と、該自由端側領域Ｓ２を臨む収容ケース１６の内壁部１９とを係合させて、当該自由端側領域Ｓ２の背面側への変位を規制する。
【００４６】
本実施形態の場合、自由端側領域Ｓ２の背面側への変位を規制する手段として、図４及び図５に示すように、内壁部１９に、リアホルダ９の背面に当接する張り出し部２１を設けている。
【００４７】
以上に説明した第１実施形態のコネクタ支持構造のコネクタ１では、リアホルダ９に装備されるねじ止め部９ａがハウジング本体５の中心軸位置Ｇに対して片側に偏心して装備されている場合には、ねじ止めによってリアホルダ９上に作用する前面対向壁への押圧力自体は、当該リアホルダ９のねじ止め部９ａ側と、ハウジング本体５の中心軸位置Ｇに対してねじ止め部９ａとは反対側に位置したリアホルダ９の自由端側領域Ｓ２とで差異が生じ、リアホルダ９の自由端側領域Ｓ２では弱くなる。
【００４８】
しかし、リアホルダ９が収容ケース１６に組み付けられる際に、リアホルダ９の自由端側領域Ｓ２は、当該自由端側領域Ｓ２を臨む収容ケース１６の内壁部１９の張り出し部２１と係合して、前記リアホルダ９の自由端側領域Ｓ２の背面側への変位が規制される。
【００４９】
即ち、リアホルダ９の自由端側領域Ｓ２と収容ケース１６の内壁部１９との係合による変位規制力が、リアホルダ９の自由端側での押圧力の不足を補って、リアホルダ９のねじ止め部９ａ側と自由端側との双方において、収容ケース１６にしっかりと固定された状態を得ることができる。
【００５０】
従って、リアホルダ９に装備するねじ止め部９ａが前記ハウジング本体５の中心軸位置Ｇに対して片側に偏心して装備されている場合でも、ねじ止め部９ａの周辺とねじ止め部９ａから離れた領域（自由端側領域Ｓ２）とのそれぞれをしっかりと固定することができ、相手コネクタとの嵌合接続時に、ねじ止めによる押圧力不足のためにねじ止め部９ａから離れた側が収容ケース１６内に落ち込むように大きく変位することがなく、また、コネクタの一部に無理な変形が加わることも無くなり、リアホルダ９の一部の領域の落ち込みや変形に起因したコネクタ相互間における結合不良、コネクタの破損等の不都合の発生を防止することができる。
【００５１】
更に、換言すると、リアホルダ９の固定のために当該リアホルダ９に装備するねじ止め部９ａが前記ハウジング本体５の中心軸位置Ｇに対して片側に偏心して装備されている場合でも、リアホルダ９の自由端側領域Ｓ２と収容ケース１６の内壁部１９との係合によりリアホルダ９の自由端側の落ち込みを防止できるため、リアホルダ９上のねじ止め部９ａの配置自由度が向上し、リアホルダ９上のねじ止め部９ａの配置設計を容易にできる。
【００５２】
また、本実施形態においては、リアホルダ９の自由端側領域Ｓ２の背面側への変位を規制する手段は、リアホルダ９の背面に当接するように内壁部１９に張り出し部２１を突設したもので、このような係合構造では、自由端側領域Ｓ２側には特に係合用に構造を工夫する必要がなく、リアホルダ９の自由端側領域Ｓ２の構造を単純化することができる。
【００５３】
なお、本発明に係るコネクタ支持構造において、リアホルダ９の自由端側領域Ｓ２の背面側への変位を規制する手段としての内壁部１９と自由端側領域Ｓ２との間の係合構造は、上記第１実施形態に示した構造に限らない。
【００５４】
例えば、係合構造の変形例として、収容ケース１６の内壁部１９に係止穴を設け、その一方、リアホルダ９の自由端側領域Ｓ２には前記係止穴に係合する係合突起を設けた構成としても良い。
【００５５】
更には、上記の係合構造の変形例とは逆に、内壁部１９に係合突起を設け、前記リアホルダ９の自由端側領域Ｓ２には前記係合突起が係合する係止穴を設けた構成としても良い。
【００５６】
（第２実施形態）
図６は、本発明に係るコネクタ支持構造の第２実施形態の縦断面図で、リアホルダ９の自由端側領域Ｓ２の背面側への変位を規制する手段として、背面ケースの背面対向壁にスペーサを突設した構成の説明図である。
【００５７】
この第２実施形態のコネクタ３１の場合は、端子収容孔３を有したハウジング本体５と、該ハウジング本体５の後部に係合して端子収容孔３に収容されている接続端子７を押さえるリアホルダ９と、を備え、ハウジング本体５の中心軸位置Ｇに対して片側に偏心して装備されたリアホルダ９上のねじ止め部９ａを、該ねじ止め部９ａの前面側に対向する前面対向壁１４にねじ止めすることによって、ハウジング本体５が前面対向壁１４を有した収容ケース１６に固定されるという基本構成は、第１実施形態のコネクタ１と共通である。
【００５８】
但し、この第２実施形態のコネクタ３１の場合は、収容ケース１６の背面側に、前記リアホルダ９の背面側を覆う背面ケース３３が装備された構成になっている。
【００５９】
更に、このコネクタ３１の場合は、背面ケース３３の背面対向壁３３ａに、ハウジング本体５の中心軸位置Ｇを挟んでねじ止め部９ａとは反対側に位置するリアホルダ９の自由端側領域Ｓ２に当接して、自由端側領域Ｓ２の背面対向壁側への変位を規制するスペーサ３５を突設している。
【００６０】
以上に説明した第２実施形態のコネクタ支持構造のコネクタ３１では、リアホルダ９に装備されるねじ止め部９ａがハウジング本体５の中心軸位置Ｇに対して片側に偏心して装備されている場合には、ねじ止めによってリアホルダ９上に作用する前面対向壁への押圧力自体は、当該リアホルダ９のねじ止め部９ａ側と、ハウジング本体５の中心軸位置Ｇに対してねじ止め部９ａとは反対側に位置したリアホルダ９の自由端側領域Ｓ２とで差異が生じ、リアホルダ９の自由端側領域Ｓ２では弱くなる。
【００６１】
しかし、リアホルダ９の背面側を覆う背面ケース３３が取り付けられると、リアホルダ９の自由端側領域Ｓ２には、背面ケース３３の背面対向壁３３ａに突設されたスペーサ３５が当接して、リアホルダ９の自由端側領域Ｓ２の背面側への変位が規制される。
【００６２】
即ち、リアホルダ９の自由端側領域Ｓ２と背面ケース３３に設けられたスペーサ３５との当接による変位規制力が、リアホルダ９の自由端側での押圧力の不足を補って、リアホルダ９のねじ止め部９ａ側と自由端側との双方において、収容ケース１６にしっかりと固定された状態を得ることができる。
【００６３】
従って、リアホルダ９に装備するねじ止め部９ａがハウジング本体５の中心軸位置Ｇに対して片側に偏心して装備されている場合でも、ねじ止め部９ａの周辺とねじ止め部９ａから離れた領域とのそれぞれをしっかりと固定することができ、相手コネクタとの嵌合接続時に、ねじ止めによる押圧力不足のためにねじ止め部９ａから離れた側が収容ケース１６内に落ち込むように大きく変位することがなく、また、コネクタの一部に無理な変形が加わることも無くなり、リアホルダ９の一部の領域の落ち込みや変形に起因したコネクタ相互間における結合不良、コネクタの破損等の不都合の発生を防止することができる。
【００６４】
更に、換言すると、リアホルダ９の固定のために当該リアホルダ９に装備するねじ止め部９ａが前記ハウジング本体５の中心軸位置Ｇに対して片側に偏心して装備されている場合でも、リアホルダ９の自由端側領域Ｓ２に背面ケースのスペーサが当接することによってリアホルダ９の自由端側の落ち込みを防止できるため、リアホルダ９上のねじ止め部９ａの配置自由度が向上し、リアホルダ９上のねじ止め部９ａの配置設計を容易にできる。
【００６５】
（第３実施形態）
図７は、本発明に係るコネクタ支持構造の第３実施形態の要部の縦断面図で、リアホルダ９の自由端側領域Ｓ２の背面側への変位を規制する手段として、当該リアホルダ９の背面に取り付けられた回路基板１１に、スペーサ４３を突設した構成を示している。
【００６６】
なお、図７に示したリアホルダ９は、第１実施形態や第２実施形態に示したリアホルダ９と同様の構成のものである。
【００６７】
また、リアホルダ９の背面に取り付けられる回路基板１１は、リアホルダ９を貫通した接続端子の基板接続端子部が半田付けされる回路接点を備えている。
【００６８】
スペーサ４３は、回路基板１１の背面上で、前記リアホルダ９のねじ止め部９ａとは逆側（即ち自由端側領域Ｓ２側）に位置する基板周縁領域Ｓ３に突設されていて、回路基板１１の背面側を覆う背面ケース３３の背面対向壁３３ａに当接することによって、基板周縁領域Ｓ３の背面対向壁３３ａ側への変位を規制する。
【００６９】
この第３実施形態のように、リアホルダ９の背面に取り付けられた回路基板１１の背面で、リアホルダ９の自由端側領域Ｓ２側に位置する回路基板１１の基板周縁領域Ｓ３に背面ケース３３の背面対向壁３３ａに当接するスペーサ４３を設けた場合には、ねじ止め部９ａとは反対側に位置するリアホルダ９の自由端側領域Ｓ２の背面対向壁側への変位が、回路基板１１を介して位置規制され、第２実施形態の場合と同様の作用効果を得ることができる。
【００７０】
即ち、リアホルダ９の自由端側領域Ｓ２は、回路基板１１を介して働く変位規制力が、リアホルダ９の自由端側での押圧力の不足を補って、リアホルダ９のねじ止め部側と自由端側との双方において、収容ケース１６にしっかりと固定された状態を得ることができる。
【００７１】
従って、リアホルダ９に装備するねじ止め部が前記ハウジング本体５の中心軸位置Ｇに対して片側に偏心して装備されている場合でも、ねじ止め部の周辺とねじ止め部から離れた領域とのそれぞれをしっかりと固定することができ、相手コネクタとの嵌合接続時に、ねじ止めによる押圧力不足のためにねじ止め部から離れた側が収容ケース１６内に落ち込むように大きく変位することがなく、また、コネクタの一部に無理な変形が加わることも無くなり、リアホルダ９の一部の領域の落ち込みや変形に起因したコネクタ相互間における結合不良、コネクタの破損等の不都合の発生を防止することができる。
【図面の簡単な説明】
【００７２】
【図１】本発明に係るコネクタ支持構造の第１実施形態のハウジング本体と該ハウジング本体の後部に係合したリアホルダの斜視図である。
【図２】図１に示したハウジング本体及びリアホルダの組み立て状態の縦断面図である。
【図３】図２に示したリアホルダの背面図である。
【図４】図２に示したリアホルダ及びハウジング本体が収容ケースに取り付けられた状態のコネクタ縦断面図である。
【図５】図４に示した収容ケースに装備された張り出し部の形状を示す斜視図である。
【図６】本発明に係るコネクタ支持構造の第２実施形態の縦断面図で、リアホルダの自由端側領域の背面側への変位を規制する手段として、背面ケースの背面対向壁にスペーサを突設した構成の説明図である。
【図７】本発明に係るコネクタ支持構造の第３実施形態の要部の縦断面図で、リアホルダの自由端側領域の背面側への変位を規制する手段として、リアホルダの背面に取り付けられた回路基板にスペーサを突設した構成の説明図である。
【図８】従来のコネクタの構成を示す縦断面図である。
【図９】図８に示したコネクタにおいてハウジング本体にリアホルダを係合させる組み立て時の状態を示す縦断面図である。
【符号の説明】
【００７３】
１  コネクタ
３  端子収容孔
５  ハウジング本体
７  接続端子
７ｂ  基板接続端子部
９  リアホルダ
９ａ  ねじ止め部
１１  回路基板
１４  前面対向壁
１６  収容ケース
１８  ねじ部材
１９  内壁部
２１  張り出し部
３１  コネクタ
３３  背面ケース
３３ａ  背面対向壁
３５  スペーサ
４３  スペーサ
Ｇ  中心軸位置
Ｓ２  自由端側領域
【図１】
0005019467.tif 000002
【図２】
0005019467.tif 000003
【図３】
0005019467.tif 000004
【図４】
0005019467.tif 000005
【図５】
0005019467.tif 000006
【図６】
0005019467.tif 000007
【図７】
0005019467.tif 000008
【図８】
0005019467.tif 000009
【図９】
0005019467.tif 000010